(57)【要約】【課題】左右ホッパーのモータを個々に制御することができるようにし、左右ホッパーの肥料散布量を合わせることができると同時に、左右異種類の肥料を散布する場合、左右肥料の散布量を個々に調整することができる肥料散布機の散布量調整装置を提供する。【解決手段】ホッパー５の下部散布口２の直上にモータ３の駆動で回転する散布ロール４を設け、ロール４から落とされる肥料の散布量をモータ３の制御によって調整するようにした肥料散布機１が、ホッパー５を左右に二台配置して形成され、この肥料散布機１を制御するためのコントロールボックス１３に右側ホッパー用と左側ホッパー用の二つの制御ダイヤル１４、１５を設け、二台のホッパー５、５のモータ３、３をそれぞれの制御ダイヤル１４、１５で電気的回路を介して個々に制御する。【選択図】図１
2005312351.tif 000002
【特許請求の範囲】
【請求項１】
ホッパーの下部散布口の直上にモータの駆動で回転する散布ロールを設け、このモータの回転数を電気的に制御することにより、ロールから落とされる肥料の散布量を調整するようにした肥料散布機の散布量調整装置において、前記肥料散布機がホッパーを左右に二台配置して形成され、この肥料散布機を制御するためのコントロールボックスに右側ホッパー用と左側ホッパー用の二つの制御ダイヤルを設け、二台のホッパーのモータをそれぞれの制御ダイヤルで電気的回路を介して個々に制御することができるようにしたことを特徴とする肥料散布機の散布量調整装置。
【発明の詳細な説明】
【技術分野】
【０００１】
この発明は、各種植物の栽培地に施肥を施す肥料散布機の散布量調整装置に関する。
【背景技術】
【０００２】
図２は、各種植物の栽培地に施肥を施す従来の肥料散布機を示し、耕運機やトラクター等の自走式車両に取付けられるこの肥料散布機１が、下部散布口２の直上にモータ３の駆動で回転する溝４ａ付きの散布ロール４を設けたホッパー５を左右に二台配置して形成され、この肥料散布機１を制御するための散布量調整装置６は、図３（ｂ）のように、前記モータ３、３と配線で接続されるコントロールボックス７に、二台のホッパー５、５のモータ３、３を同時に電気的回路を介して制御するための一つの制御ダイヤル８と、両モータ３、３の同時駆動と左右モータ３、３の個別駆動を選択する切り替えスイッチ９等を設けて形成され、この制御ダイヤル８の回転調整によって、通常は両モータ３、３の回転数を同時に制御することで、散布ロール４、４から落とされる肥料の散布量を調整するようになっている。
【発明の開示】
【発明が解決しようとする課題】
【０００３】
ところで、モータ３、３は製作上において個々に誤差があり、複数を同時に用いた場合、回転が全く同じにならないので、従来のような散布量調整装置６のように、一つの制御ダイヤル８で両モータ３、３を同時に制御する方式は、左右ホッパー５、５の肥料散布量が合わないという問題がある。
【０００４】
また、左右異種類の肥料を散布する場合、肥料によって左右肥料の散布量が異なるため、肥料散布機は左右ホッパー５、５のモータ３、３を別々に調整することが必要になるが、一つの制御ダイヤル８で両モータ３、３を同時に制御する方式では、このような調整ができないという問題がある。
【０００５】
そこで、この発明の課題は、左右ホッパーのモータを個々に制御することができるようにし、左右ホッパーの肥料散布量を合わせることができると同時に、左右異種類の肥料を散布する場合、左右肥料の散布量を個々に調整することができる肥料散布機の散布量調整装置を提供することにある。
【課題を解決するための手段】
【０００６】
上記のような課題を解決するため、この発明は、ホッパーの下部散布口の直上にモータの駆動で回転する散布ロールを設け、このモータの回転数を電気的に制御することにより、ロールから落とされる肥料の散布量を調整するようにした肥料散布機の散布量調整装置において、前記肥料散布機がホッパーを左右に二台配置して形成され、この肥料散布機を制御するためのコントロールボックスに右側ホッパー用と左側ホッパー用の二つの制御ダイヤルを設け、二台のホッパーのモータをそれぞれの制御ダイヤルで電気的回路を介して個々に制御することができるようにした構成を採用したものである。
【０００７】
ここで、肥料散布機は、二台のホッパーが耕運機やトラクター等の自走式車両に取付けられ、各ホッパーの下部散布口は複数本に分散され、その直上にモータの駆動で回転するよう配置した溝付きの散布ロールは、溝が散布口の数に対応するよう軸方向に分離され、この散布ロールの直上に各溝ごとに対応する開閉自在のシャッターが設けられている。
【０００８】
また、散布量調整装置におけるコントロールボックスの二つの制御ダイヤルは、回転方向に０〜１０の目盛りが付され、目盛りの数字が大きくなるほどモータの回転が速くなって散布量が多くなり、目盛りの数字を０にするとモータが止まって散布が停止することになり、従って、左右の散布量が合わない場合は、どちらかの制御ダイヤルを調整することにより、左右の散布量を合わすことができる。
【発明の効果】
【０００９】
この発明によると、左右ホッパーのモータを二つの制御ダイヤルで個々に制御することができるようにしたので、二つのモータの製作上の個々の誤差で左右の散布量が合わない場合でも、どちらかの制御ダイヤルを調整することにより、左右ホッパーの肥料散布量を合わせることができ、栽培地全体に均一な肥料散布が行えることになる。
【００１０】
また、左右異種類の肥料を散布する場合、肥料によって左右肥料の散布量が異なるため、肥料散布機は左右ホッパーのモータを別々に調整することが必要になるが、二つの制御ダイヤルで両モータを別々に制御することができるので、このような調整が自由に行え、左右異種類の肥料散布が可能になる。
【発明を実施するための最良の形態】
【００１１】
以下、この発明の実施の形態を説明する。なお、従来例と同一部分には、同一符号を付して説明する。
【００１２】
図１のように、肥料散布機１は、下部散布口２の直上にモータ３の駆動で回転する溝付きの散布ロール４を設けたホッパー５を左右に二台配置して形成され、この肥料散布機１を制御するための散布量調整装置１１は、図３（ａ）のように、前記モータ３、３と配線１２、１２で接続されるコントロールボックス１３に、二台のホッパー５、５のモータ３、３を個々に電気的回路を介して制御するための二つの制御ダイヤル１４、１５と、両モータ３、３に対する電源のオン・オフスイッチ１６、電顕表示灯１７、配線１２との接続端子１８等を設けて形成され、前記制御ダイヤル１４、１５の回転調整によって、両モータ３、３の回転数を個々に制御することで、両ホッパー５、５のロール４、４から落とされる肥料の散布量を調整するようになっている。
【００１３】
上記肥料散布機１は、二台のホッパー５、５が耕運機やトラクター等の自走式車両に取付けられ、各ホッパー５，５の下部散布口２は複数本に分散され、その直上にモータ３、３の駆動で回転するよう配置した溝付きの散布ロール４、４は、図２（ｂ）で示したように、溝４ａが散布口２の数に対応するよう軸方向に分離され、この散布ロール４の直上に各溝４ａごとに対応する開閉自在のシャッター１９が設けられている。
【００１４】
また、散布量調整装置１１におけるコントロールボックス１３の二つの制御ダイヤル１４、１５は、回転方向に０〜１０の目盛りが付され、目盛りの数字が大きくなるほどモータ３、３の回転が速くなって散布量が多くなり、目盛りの数字を０にするとモータ３、３が止まって散布が停止することになり、従って、左右の散布量が合わない場合は、どちらかの制御ダイヤル１４、１５を調整することにより、左右の散布量を合わすことができる。
【００１５】
この発明の散布量調整装置１１は、上記のような構成であり、左右ホッパー５、５に肥料を収納し、シャッター１９を開の状態にして、車両の走行と共に制御ダイヤル１４、１５を所定の散布量になるよう目盛りに合わせ、これによりモータ３、３を起動して散布ロール４、４を回転させることにより、下部散布口２から肥料を散布するものである。
【００１６】
この発明において、散布量調整装置１１は、左右ホッパー５、５のモータ３、３を二つの制御ダイヤル１４、１５で個々に制御することができるようにしたので、二つのモータ３、３の製作上の個々の誤差で左右の散布量が合わない場合でも、どちらかの制御ダイヤル１４又は１５を調整することにより、左右ホッパー５、５の肥料散布量を合わせることができ、栽培地全体に均一な肥料散布が行えることになる。
【００１７】
また、左右異種類の肥料を散布する場合、左右ホッパー５、５に異なる肥料を収納し、左右肥料の散布量が異なる時は、二つの制御ダイヤル１４、１５で両モータ３、３を別々に制御することができるので、左右異なる散布の調整が自由に行え、左右異種類の肥料散布が可能になる。
【図面の簡単な説明】
【００１８】
【図１】この発明に係る肥料散布機の散布量調整装置を示す斜視図
【図２】（ａ）は従来の肥料散布機の散布量調整装置を示す正面図、（ｂ）は肥料散布機に使用される散布ロールを示す斜視図
【図３】（ａ）はこの発明に係る肥料散布機の散布量調整装置を示す斜視図、（ｂ）は従来の肥料散布機の散布量調整装置を示す斜視図
【符号の説明】
【００１９】
１        肥料散布機
２        下部散布口
３        モータ
４        散布ロール
５        ホッパー
６        散布量調整装置
７        コントロールボックス
８        制御ダイヤル
９        切り替えスイッチ
１１      散布量調整装置
１２      配線
１３      コントロールボックス
１４      制御ダイヤル
１５      制御ダイヤル
１６      オン・オフスイッチ
１７      電顕表示灯
１８      接続端子
１９      シャッター
【図１】
2005312351.tif 000003
【図２】
2005312351.tif 000004
【図３】
2005312351.tif 000005